【手続補正書】
【提出日】平成29年3月14日(2017.3.14)
【手続補正１】
【補正対象書類名】明細書
【補正対象項目名】発明の名称
【補正方法】変更
【補正の内容】
【発明の名称】医用画像処理装置、医用画像処理装置の制御方法、およびプログラム
【手続補正２】
【補正対象書類名】明細書
【補正対象項目名】０００６
【補正方法】変更
【補正の内容】
【０００６】
そのため、操作者は、任意のｂ値の画像を求めた後に、その画像において見やすいウインドウ幅値およびウインドウレベル値を調整する必要があり、読影時において、操作者に過大な負担を強いることとなる。
そこで本発明は、任意のｂ値の拡散強調画像における、適切なウインドウ幅値およびウインドウレベル値の設定に係る手間を軽減することの可能な仕組みを提供することを目的とするものである。
【手続補正３】
【補正対象書類名】明細書
【補正対象項目名】０００７
【補正方法】変更
【補正の内容】
【０００７】
上記目的を達成するために、本発明に係る医用画像処理装置は、第１のｂ値を用いて撮像された第１の拡散強調画像と、第２のｂ値を用いて撮像された第２の拡散強調画像とを記憶する記憶手段と、第３のｂ値の設定を受け付ける受付手段と、前記第１の拡散強調画像及び前記第２の拡散強調画像に基づいて、前記第３のｂ値の拡散強調画像を生成する生成手段と、前記受付手段で受け付けた前記第３のｂ値に応じた、前記第３のｂ値の拡散強調画像を表示する際のウインドウ幅値およびウインドウレベル値を決定する決定手段と、前記第３のｂ値の拡散強調画像を、前記決定手段で決定されたウインドウ幅値およびウインドウレベル値で表示するよう制御する表示制御手段とを備えることを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
本発明によれば、任意のｂ値の拡散強調画像における、適切なウインドウ幅値およびウインドウレベル値の設定に係る手間を軽減することが可能となる。
【手続補正９】
【補正対象書類名】特許請求の範囲
【補正対象項目名】全文
【補正方法】変更
【補正の内容】
【特許請求の範囲】
【請求項１】
第１のｂ値を用いて撮像された第１の拡散強調画像と、第２のｂ値を用いて撮像された第２の拡散強調画像とを記憶する記憶手段と、
第３のｂ値の設定を受け付ける受付手段と、
前記第１の拡散強調画像及び前記第２の拡散強調画像に基づいて、前記第３のｂ値の拡散強調画像を生成する生成手段と、
前記受付手段で受け付けた前記第３のｂ値に応じた、前記第３のｂ値の拡散強調画像を表示する際のウインドウ幅値およびウインドウレベル値を決定する決定手段と、
前記第３のｂ値の拡散強調画像を、前記決定手段で決定されたウインドウ幅値およびウインドウレベル値で表示するよう制御する表示制御手段と
を備えることを特徴とする医用画像処理装置。
【請求項２】
前記記憶手段に記憶される拡散強調画像を表示する際のウインドウ幅値およびウインドウレベル値と、当該拡散強調画像のｂ値とを取得する取得手段を更に備え、
前記決定手段は、前記取得手段で取得された前記ウインドウ幅値およびウインドウレベル値を、前記取得手段で取得されたｂ値と前記受付手段で受け付けた前記第３のｂ値とに基づいて補正することで、前記第３のｂ値の拡散強調画像を表示する際のウインドウ幅値およびウインドウレベル値を決定すること
を特徴とする請求項１に記載の医用画像処理装置。
【請求項３】
前記決定手段は、前記取得手段で取得された前記拡散強調画像の信号値の平均値と前記第３のｂ値の拡散強調画像の信号値の平均値とに基づいて、前記取得手段で取得されたウインドウ幅値およびウインドウレベル値を補正して前記第３のｂ値の拡散強調画像を表示する際のウインドウ幅値およびウインドウレベル値を決定すること
を特徴とする請求項２に記載の医用画像処理装置。
【請求項４】
第１のｂ値を用いて撮像された第１の拡散強調画像と、第２のｂ値を用いて撮像された第２の拡散強調画像とを記憶する記憶手段を備える医用画像処理装置の制御方法であって、
前記医用画像処理装置が、
第３のｂ値の設定を受け付ける受付ステップと、
前記第１の拡散強調画像及び前記第２の拡散強調画像に基づいて、前記第３のｂ値の拡散強調画像を生成する生成ステップと、
前記受付ステップで受け付けた前記第３のｂ値に応じた、前記第３のｂ値の拡散強調画像を表示する際のウインドウ幅値およびウインドウレベル値を決定する決定ステップと、
前記第３のｂ値の拡散強調画像を、前記決定ステップで決定されたウインドウ幅値およびウインドウレベル値で表示するよう制御する表示制御ステップと
を備えることを特徴とする医用画像処理装置の制御方法。
【請求項５】
第１のｂ値を用いて撮像された拡散強調画像と、ＡＤＣ値とを記憶する記憶手段を備える医用画像処理装置で実行可能なプログラムであって、
前記医用画像処理装置を、
第２のｂ値の設定を受け付ける受付手段と、
前記記憶手段に記憶される前記拡散強調画像と前記ＡＤＣ値とに基づいて、前記受付手段で受け付けた前記第２のｂ値における拡散強調画像を生成する生成手段と、
前記受付手段で受け付けた前記第２のｂ値に応じた、前記第２のｂ値における拡散強調画像を表示する際のウインドウ幅値およびウインドウレベル値を決定する決定手段と、
前記第２のｂ値の拡散強調画像を、前記決定手段で決定されたウインドウ幅値およびウインドウレベル値で表示するよう制御する表示制御手段
として機能させることを特徴とするプログラム。
【請求項６】
第１のｂ値を用いて撮像された拡散強調画像と、当該拡散強調画像に対応するＡＤＣ値とを記憶する記憶手段と、
第２のｂ値の設定を受け付ける受付手段と、
前記記憶手段に記憶される前記拡散強調画像と前記ＡＤＣ値とに基づいて、前記第２のｂ値における拡散強調画像を生成する生成手段と、
前記受付手段で受け付けた前記第２のｂ値に応じた、前記第２のｂ値の拡散強調画像を表示する際のウインドウ幅値およびウインドウレベル値を決定する決定手段と、
前記第２のｂ値の拡散強調画像を、前記決定手段で決定されたウインドウ幅値およびウインドウレベル値で表示するよう制御する表示制御手段と
を備えることを特徴とする医用画像処理装置。
【請求項７】
第１のｂ値を用いて撮像された拡散強調画像と、当該拡散強調画像に対応するＡＤＣ値とを記憶する記憶手段を備える医用画像処理装置の制御方法であって、
前記医用画像処理装置が、
第２のｂ値の設定を受け付ける受付ステップと、
前記記憶ステップに記憶される前記拡散強調画像と前記ＡＤＣ値とに基づいて、前記第２のｂ値における拡散強調画像を生成する生成ステップと、
前記受付ステップで受け付けた前記第２のｂ値に応じた、前記第２のｂ値の拡散強調画像を表示する際のウインドウ幅値およびウインドウレベル値を決定する決定ステップと、
前記第２のｂ値の拡散強調画像を、前記決定ステップで決定されたウインドウ幅値およびウインドウレベル値で表示するよう制御する表示制御ステップと
を備えることを特徴とする医用画像処理装置の制御方法。
【請求項８】
第１のｂ値を用いて撮像された拡散強調画像と、当該拡散強調画像に対応するＡＤＣ値とを記憶する記憶手段を備える医用画像処理装置で実行可能なプログラムであって、
前記医用画像処理装置を、
第２のｂ値の設定を受け付ける受付手段と、
前記記憶手段に記憶される前記拡散強調画像と前記ＡＤＣ値とに基づいて、前記第２のｂ値における拡散強調画像を生成する生成手段と、
前記受付手段で受け付けた前記第２のｂ値に応じた、前記第２のｂ値の拡散強調画像を表示する際のウインドウ幅値およびウインドウレベル値を決定する決定手段と、
前記第２のｂ値の拡散強調画像を、前記決定手段で決定されたウインドウ幅値およびウインドウレベル値で表示するよう制御する表示制御手段
として機能させることを特徴とするプログラム。